(57)【要約】【課題】マイクロスイッチの提供。【解決手段】本発明の開示するマイクロスイッチは、支持架と少なくとも一つの導電端子部と上部棒と電磁石とを備え、前記導電端子部は第一端子と弾性導電片とバネと第二端子とにより構成され、前記第一端子と第二端子は支持架上に固定し、前記バネの一端を第一端子に引き掛け、他の一端を弾性導電片に引き掛け、弾性導電片の一端を第一端子に連結する。前記上部棒はスライド可能状態で支持架に取り付け、上部棒には凹溝と滑り斜面と押圧面を備え、上部棒の滑動によってバネは凹溝内及び押圧面上にスライドし、バネはこれによって弾性導電片を動かし第二端子を圧して密着する。前記電磁石は支持架上に取り付け、コイルと鉄心とを備え、前記鉄心の一端は上部棒の一端に連結する。本発明のマイクロスイッチはスイッチ部品を導電端子部と上部棒と電磁石の三部分に簡素化し、直接上部棒を押してマイクロスイッチのオンとオフを実現するものであり、スイッチ構造を簡素化して組み立てを簡単にする。【選択図】図２
2012028063.tif 000002
【特許請求の範囲】
【請求項１】
支持架と、
第一端子と弾性導電片とバネと第二端子とにより構成され、前記第一端子と第二端子は支持架上に固定し、前記バネの一端を第一端子に引き掛け、前記バネの他の一端を弾性導電片に引き掛け、弾性導電片の一端を第一端子に連結する少なくとも一つの導電端子部と、スライド可能状態で支持架に取り付け、凹溝と押圧面とを備え、前記凹溝の前記押圧面に対応する側壁に滑り斜面を形成する上部棒と、
支持架上に取り付け、コイルと鉄心とを備え、前記鉄心の一端は上部棒の一端に連結する電磁石により構成され、
前記上部棒の滑動によって前記バネは凹溝内及び押圧面上に移動し、前記バネは弾性導電片を動かし第二端子を圧して接触することを特徴とするマイクロスイッチ。
【請求項２】
前記鉄心と上部棒は連結部によって連結することを特徴とする請求項１記載のマイクロスイッチ。
【請求項３】
前記連結部はほぼＵ形を成し、しかも基本部と基本部の両側に位置する二つの嵌着固定基部を備え、各嵌着固定基部の末端には対応する二つの嵌着固定部を設け、同じ末端エッジの二つの嵌着固定部は嵌合固定構造を構成し、前記嵌合固定構造はそれぞれ上部棒の連結溝と鉄心の連結環状溝内に嵌着され、且つ上部棒と鉄心を相互に圧して密着させることを特徴とする請求項２記載のマイクロスイッチ。
【請求項４】
前記第一端子は前記上部棒の一方側に配置し、前記弾性導電片及び前記第二端子は前記上部棒の他の一方側に配置することを特徴とする請求項１記載のマイクロスイッチ。
【請求項５】
前記凹溝の滑り斜面は電磁石から離れた一方側の凹溝壁上に配置することを特徴とする請求項１記載のマイクロスイッチ。
【請求項６】
前記第一端子には連結基部を備え、前記連結基部の一端エッジには突出し折れ曲がる二つの位置限定部を形成し、各位置限定部は更に水平位置限定部及び縦位置限定部を含み、前記縦位置限定部上には枢着溝を設け、前記連結基部には引掛部を設け、前記弾性導電片中部箇所には引掛溝を配置し、前記バネの一端を第一端子の引掛部に引き掛け、他の一端を弾性導電片の引掛溝内に引き掛け、且つ弾性導電片の一方側エッジを第一端子の枢着溝内に取り付け、しかも前記枢着溝を軸動することを特徴とする請求項１記載のマイクロスイッチ。
【請求項７】
前記支持架は更に端子部収納座と基本座を備え、前記導電端子部は前記端子部収納座内に取り付け且つ前記上部棒は可動状態で端子部収納座内に収めることを特徴とする請求項１記載のマイクロスイッチ。
【請求項８】
前記端子部収納座は底蓋と基本蓋と上蓋の相互組み合わせより成り、前記基本座は収納溝と外殻フレームとを備え、前記電磁石は収納溝内に配置し、前記端子部収納座は外殻フレーム内に取り付けることを特徴とする請求項７記載のマイクロスイッチ。
【発明の詳細な説明】
【技術分野】
【０００１】
本発明はマイクロスイッチに係り、特に簡単構造で上部棒から直接スイッチを制御するマイクロスイッチに関する。
【背景技術】
【０００２】
図１０乃至図１２に示す通り、公知のマイクロスイッチ１００'はコイル１'と鉄心２'と離脱バネ３'と位置戻しボタン４'と位置戻しバネ５'とゲート片６'と平衡体７'と接触スイッチ８'と引っ張り棒９'等により構成される。前記引っ張り棒９'は金属円棒を使用して位置戻しボタン４'に熱処理をして一体化する。引っ張り棒９'下端にはプラットホーム９１'を備え、そのプラットホーム９１'には上表面９１１'と下表面９１２'とを備える。ゲート片６'には第一嵌着孔６１'と第二嵌着孔６２'とを備え、その内の第一嵌着孔６１'は右垂直面６１１'と左円弧面６１２'を備える。平衡体７'には縦軸線と水平軸線に沿う第一開口７１'と第二開口７２'をそれぞれ備え、前記引っ張り棒９'は可動状態で第一開口７１'内の縦方向に沿って上下移動し、前記ゲート片６'の第二嵌着孔６２'を備える箇所は第二開口７２'内に延伸し、左右移動を可能とする。
【０００３】
マイクロスイッチ１００'が離脱状態である時、ゲート片６'の第一嵌着孔６１'の左円弧面６１２'は離脱バネ３'の回復弾力作用を受けて引っ張り棒９'下端の円錐体上に密着する。引っ張り棒９'下端にはプラットホーム９１'を有するため、位置戻しボタン４'はコイル１'が通電状態でない時は元の位置に戻ることはできない。前記マイクロスイッチ１００'が起動過程にある時は、コイル１'と鉄心２‘と離脱バネ３'と位置戻しボタン４'と位置戻しバネ５'とゲート片６’と平衡体７'と接触スイッチ８'と引っ張り棒９'が共に係りあって動作することにより平衡体７'は上方向に移動し、平衡体７'は更にムーバブルコンタクト片（movable contact- piece）（未図示）を上方向に動かしてスタティックコンタクト片（static contact-piece）（未図示）と接触させてマイクロスイッチ１００'の通電を実現する。
【発明の概要】
【発明が解決しようとする課題】
【０００４】
但し、前述した公知のマイクロスイッチ１００'の構造は極めて複雑であるため組み立てが不便であり、前記マイクロスイッチ１００'の欠点に鑑み、本発明人は長年に渡り本業界に従事してきた経験に基づき構造が簡単で組み立ての便利なマイクロスイッチを生み出した。
【課題を解決するための手段】
【０００５】
本発明の目的は前述した公知技術に存在する欠点に対し構造が簡単で上部棒を押して直接スイッチをコントロールするマイクロスイッチを提供することにある。
【０００６】
前述の目的を達成するために、本発明の提供するマイクロスイッチは支持架と少なくとも一つの導電端子部と上部棒と電磁石とを備える。前記導電端子部は第一端子と弾性導電片とバネと第二端子とにより構成され、前記第一端子と第二端子は支持架上に固定し、前記バネの一端を第一端子に引き掛け、バネの他の一端を弾性導電片に引き掛け、弾性導電片の一端を第一端子に連結する。前記上部棒はスライド可能状態で支持架に取り付け、上部棒には凹溝と滑り斜面と押圧面を備え、上部棒の滑動によってバネは凹溝内及び押圧面上にスライドし、バネはこれによって弾性導電片を動かし第二端子を圧して接する。前記電磁石は支持架上に取り付け、コイルと鉄心とを備え、前記鉄心の一端は上部棒の一端に連結する。
【発明の効果】
【０００７】
前述した通り、本発明のマイクロスイッチはスイッチ部品を導電端子部と上部棒と電磁石の三部分に簡素化し、直接上部棒を押してマイクロスイッチのオンとオフを実現するものであり、スイッチ構造を簡素化して組み立てを簡単にする。
【図面の簡単な説明】
【０００８】
【図１】本発明のマイクロスイッチに関する立体図である。
【図２】本発明のマイクロスイッチに関する分解図である。
【図３】本発明のマイクロスイッチに関する導電端子部と上部棒と電磁石と連結部の組み立て図である。
【図４】本発明のマイクロスイッチに関する導電端子部と上部棒と電磁石と連結部の別の角度から見た組み立て図である。
【図５】本発明のマイクロスイッチに関する上部棒の立体図である。
【図６】本発明のマイクロスイッチに関する第一端子の立体図である。
【図７】本発明のマイクロスイッチに関する弾性導電片の立体図である。
【図８】本発明のマイクロスイッチに関する第二端子の立体図である。
【図９】本発明のマイクロスイッチに関する連結部の立体図である。
【図１０】公知のマイクロスイッチに関する立体分解図である。
【図１１】公知のマイクロスイッチの離脱状態の断面図である。
【図１２】公知のマイクロスイッチのゲート片の立体図である。
【発明を実施するための形態】
【０００９】
次に、本発明の技術内容、構造特徴、達成する目的及び効果について図面を組み合わせた実施例を用いて詳細説明を行う。
【実施例】
【００１０】
図１及び図２に示す通り、本発明のマイクロスイッチ１００の実施例には二つの導電端子部１と上部棒２と電磁石３と支持架４とを備える。
【００１１】
図２乃至図４に示す通り、前記導電端子部１は第一端子１１と弾性導電片１２とバネ１３と第二端子１４とにより構成され、前記第一端子１１と第二端子１４は支持架４上に固定する。
【００１２】
前記第一端子１１は傾斜状の連結基部１１１を備え、前記連結基部１１１の一端の中部には延伸する第一嵌合部１１２を形成し、前記第一嵌合部１１２には引き続き延伸する第一接続部１１３を形成する。前記第一接続部１１３は電子部品（未図示）を連結するためのものであり、これによって電気的接続を実現する。前記連結基部１１１の他の一端のエッジには突出し垂直に折れ曲がる二つの位置限定部１１４を形成し、前記位置限定部１１４及び連結基部１１１によって取り囲み位置限定溝１１５を形成する。前記位置限定部１１４は更に水平位置限定部１１４１及び縦位置限定部１１４２を含む。前記縦位置限定部１１４２上には枢着溝１１６を設け、前記連結基部１１１の第一嵌合部１１２の一方側に近い箇所には引掛部１１７を設け、前記バネ１３の一端を引掛部１１７に引き掛ける。
【００１３】
図２、図３、図４、図７に示す通り、前記弾性導電片１２は概ね段状板の形状をなし、しかもその中部箇所には引掛溝１２１を配置する。前記弾性導電片１２の一方側エッジは第一端子１１の枢着溝１１６内に取り付ける。描写に便宜を図るために特に弾性導電片１２を弾性導電片１２の枢着溝１１６内のエッジ取り付けて枢動エッジと定義し、前記弾性導電片１２は前記枢動エッジを動かすことができる。前記弾性導電片１２には点接触部品１２２を設け、前記点接触部品１２２は枢動エッジに対応する他の一方側に設置する。
【００１４】
図８に示す通り、前記第二端子１４には長方形板状の第二嵌合部１４１を備え、前記第二嵌合部１４１の一端には点接触基部１４３を延伸し、前記第二接続部１４２は電子部品（未図示）の接続に用い、これにより電気的接続を実現する。点接触基部１４３上には点接触部品１４３１を取り付ける。
【００１５】
図１、図２、及び図５に示す通り、上部棒２は概ね長く真っ直ぐな棒状をなし、前記上部棒２の一端にはプッシュ部２１を配置し、それに対応する他の一端箇所には連結溝２２を配置する。前記上部棒２上には二つの凹溝２３と二つの押圧面２４を備え、前記押圧面２４に対応する凹溝２３の側壁には滑り斜面２５を形成し、前記滑り斜面２５は電磁石３から離れた一方側の凹溝２３壁上に配置する。前記上部棒２をプッシュすると上部棒２の滑動によってバネ１３は凹溝２３内及び押圧面２４上にスライドし、更にバネ１３は弾性導電片１２を動かし第二端子１４を圧して接触し、マイクロスイッチ１００の通電を実現する。
【００１６】
図２、図４及び図５に示す通り、前記第一端子１１は上部棒２の一方側に取り付け、且つ第一端子１１の縦位置限定部１１４２は上部棒２の棒体上を圧して密着する。前記弾性導電片１２及び前記第二端子１４は上部棒２の他の一方側に取り付ける。前記バネ１３の一端は第一端子１１の引掛部１１７に引き掛け、前記バネ１３の他の一端は弾性導電片１２の引掛溝１２１内に引き掛け、且つ弾性導電片１２の枢動エッジは第一端子１１の枢着溝１１６内に枢着する。
【００１７】
バネ１３が前記凹溝２３から押圧面２４にスライドする過程において、前記第一端子１１はバネ１３を始終位置限定溝１１５内に制限する。
【００１８】
図１、図２、図３に示す通り、前記電磁石３は前記支持架４上に取り付け、且つコイル３１と鉄心３２を備える。前記鉄心３２の一端には連結環状溝３２１を配置し、連結部５はそれぞれ鉄心３２の連結環状溝３２１と上部棒２の連結溝２２に連結して前記鉄心３２と鉄心２を連結する。前記電磁石３のコイル３１が通電状態である時、前記電磁石３には磁力が発生し前記鉄心３２によって押される上部棒２は電磁石３から離れる方向へと移動する。
【００１９】
図１及び図２に示す通り、本発明のマイクロスイッチ１００の支持架４は更に端子部収納座４１と基本座４２を含む。前記導電端子部１は前記端子部収納座４１内に取り付け且つ前記上部棒２は可動状態で端子部収納座４１内に収める。本発明の具体的な実施例において、前記端子部収納座４１は底蓋４１１と基本蓋４１２と上蓋４１３の相互組み合わせより成る。前記基本座４２は収納溝４２１と外殻フレーム４２２を備え、前記電磁石３は収納溝４２１内に装着し、前記端子部収納座４１は外殻フレーム４２２内に取り付ける。
【００２０】
図１と図５と図９に示す通り、前記連結部５はほぼＵ形を成し、基本部５１と基本部５１の両側に位置する二つの嵌着固定基部５２を備え、前記の各嵌着固定基部５２の末端には対応する二つの嵌着固定部５２１を設ける。同じ末端エッジの二つの嵌着固定部５２１は嵌合固定構造を構成し、前記嵌合固定構造はそれぞれ上部棒２の連結溝２２と鉄心３２の連結環状溝３２１内に嵌着され、且つ上部棒２と鉄心３２を相互に密着させる。前述の嵌合固定構造の嵌着作用により、上部棒２と鉄心３２の緊密連結を実現する。本発明の具体的な実施例として開示した連結部５の構造はただ単に一実施例であるだけで、その他、鉄心３２と上部棒２の効果的な連結を実現する連結部品構造は何れも本発明のマイクロスイッチの特許範囲内に含まれるものとする。
【００２１】
図１、図２、図３、及び図５に示す通り、遮断状態である時、前記導電端子部１のバネ１３は上部棒２の凹溝２３内に位置する。この時前記バネ１３はまっすぐ伸びた状態にあり、しかも前記弾性導電片１２は第二端子１４と連結していない。前記マイクロスイッチ１００を遮断状態から通電状態に切り替えたい時は、直接前記上部棒２のプッシュ部２１を前記電磁石３方向に押して運動させると、前記バネ１３は前記凹溝２３から滑り斜面２５に沿ってスライドして押圧面２４で圧せられる。この過程において前記バネ１３は前記上部棒２の押圧面２４によって圧せられて形を変化させる。前記バネ１３は形状変化により前記弾性導電片１２を引っ張り枢動エッジの周りを回転する。これによって前記点接触部品１２２は前記第二端子１４の点接触部品１４３１を押圧するため、マイクロスイッチ１００は通電状態となる。前記バネ１３の形状変化により前記導電端子部１は前記上部棒２上に固定されて不動状態を保つ。
【００２２】
マイクロスイッチ１００に連結する電子部品（未図示）は、その内部電流が起因して回路に異常を来たしたりして人為的コントロールにより一定値まで上がった時、前記電磁石３は前記上部棒２を押して電磁石３から離れる方向の運動力を引き起こし前記上部棒２を位置移動させる。前記上部棒２が移動する過程において、前記導電端子部１のバネ１３はスライドして滑り斜面２５から前記凹溝２３内に入り込み、それと同時に前記バネ１３は湾曲状態から真っ直ぐ伸びた状態に戻り、これによって、マイクロスイッチ１００と接続する電子部品（未図示）の電流過大による損傷を防止する。
【００２３】
前述した通り、本発明のマイクロスイッチ１００はスイッチ部品を簡素化して導電端子部１と上部棒２と電磁石３の三部分に構成し、且つ直接上部棒２を押すことにより前記マイクロスイッチ１００のオンとオフを実現するため、スイッチ構造を簡素化し組み立てを簡易化する。
【符号の説明】
【００２４】
１００'    マイクロスイッチ
１'    コイル
２'    鉄心
３'    離脱バネ
４'    位置戻しボタン
５'    位置戻しバネ
６'    ゲート片
６１'    第一嵌着孔
６１１'    右垂直面
６１２'    左円弧面
６２'    第二嵌着孔
７'    平衡体
７１'    第一開口
７２'    第二開口
８'    接触スイッチ
９'    引っ張り棒
９１'    プラットホーム
９１１'    上表面
９１２'    下表面
１００    マイクロスイッチ
１    導電端子部
１１    第一端子
１１１    連結基部
１１２    第一嵌合部
１１３    第一接続部
１１４    位置限定部
１１４１  水平位置限定部
１１４２  縦位置限定部
１１５    位置限定溝
１１６    枢着溝
１１７    引掛部
１２    弾性導電片
１２１    引掛溝
１２２    点接触部品
１３    バネ
１４    第二端子
１４１    第二嵌合部
１４２    第二接続部
１４３    点接触基部
１４３１  点接触部品
２    上部棒
２１    プッシュ部
２２    連結溝
２３    凹溝
２４    押圧面
２５    滑り斜面
３    電磁石
３１    コイル
３２    鉄心
３２１    連結環状溝
４    支持架
４１    端子部収納座
４１１    底蓋
４１２    基本蓋
４１３    上蓋
４２    基本座
４２１    収納溝
４２２    外殻フレーム
５    連結部
５１    基本部
５２    嵌着固定基部
５２１    嵌着固定部
【図１】
2012028063.tif 000003
【図２】
2012028063.tif 000004
【図３】
2012028063.tif 000005
【図４】
2012028063.tif 000006
【図５】
2012028063.tif 000007
【図６】
2012028063.tif 000008
【図７】
2012028063.tif 000009
【図８】
2012028063.tif 000010
【図９】
2012028063.tif 000011
【図１０】
2012028063.tif 000012
【図１１】
2012028063.tif 000013
【図１２】
2012028063.tif 000014